(57)【特許請求の範囲】
【請求項１】
表面シートと、裏面シートと、これらシート間に配された複数の吸収体からなる吸収構造体とを備え、腹側部、背側部、及び股下部に区分された使い捨ておむつであって、
前記吸収構造体は、第１吸収体と第２吸収体とを有し、
前記第１吸収体は前記使い捨ておむつの幅方向中央部に形成され、前記第２吸収体は該使い捨ておむつの長手方向の両端部間に亘って形成されており、
前記第１吸収体の密度は前記第２吸収体の密度より高く、前記第１吸収体の厚さは前記第２吸収体の厚さより厚く、
前記第１吸収体の幅方向外側に前記第２吸収体のみからなる部分が隣接する使い捨ておむつ。
【請求項２】
前記第１吸収体は、前記使い捨ておむつの前記股下部から前記腹側部に向かって延在しており、前記第２吸収体によって取り囲まれている請求項１に記載の使い捨ておむつ。
【請求項３】
前記第１吸収体は、その長手方向に沿う両側部それぞれが、前記使い捨ておむつの幅方向外方に向かって凸状に形成されている請求項２に記載の使い捨ておむつ。
【請求項４】
前記第１吸収体は、該第１吸収体の輪郭に一致する形状の下層吸収部と、該下層吸収部上に配され、該下層吸収部よりも小さい形状の上層吸収部とを有し、
前記上層吸収部は、その中心が前記使い捨ておむつの中心より前方に位置している請求項１〜３の何れか１項に記載の使い捨ておむつ。
【請求項５】
前記吸収構造体は、前記使い捨ておむつの長手方向の両側部に沿って第３吸収体を有し、
前記第３吸収体は、その密度が前記第２吸収体の密度より高く、その厚さが前記第１吸収体の厚さより薄く且つ前記第２吸収体の厚さより厚い請求項１〜４の何れか１項に記載の使い捨ておむつ。
【請求項６】
前記第２吸収体は、第２吸収体下層吸収部と、該第２吸収体下層吸収部上に配される第２吸収体上層吸収部とを有し、
前記第２吸収体上層吸収部及び前記第２吸収体下層吸収部それぞれの形状は、前記第２吸収体の輪郭に一致しており、
前記第２吸収体上層吸収部は、その密度が前記第２吸収体下層吸収部の密度よりも低い請求項１〜５の何れか１項に記載の使い捨ておむつ。
【発明の詳細な説明】
【技術分野】
【０００１】
本発明は、展開型の使い捨ておむつ等の使い捨ておむつに関する。
【背景技術】
【０００２】
従来より、軟便等の漏れを効率的に防ぐ使い捨ておむつが種々提案されている。
例えば、特許文献１には、吸収体上に、おしめの表面に沿って糞便滲出物の横方向流れを防止するように構成された一対の縦方向に延びる封じ込めバリヤーと、おしめの表面に沿って糞便滲出物の縦方向流れを防止するように構成された封じ込めダムとを備え、前記封じ込めバリヤー及び前記封じ込めダムを用いて糞便滲出物を囲い、糞便滲出物の縦横方向の流れを防止したおしめたおしめが開示されている。
【０００３】
しかし、特許文献１には、軟便等から滲み出る水分を直接、効率的に吸収できる吸収体の構造について何ら記載されておらず、軟便等の水分が滲み出して漏れることを効率的に防ぐことが難しい。
【０００４】
吸収体の構造に関し、本出願人は先に、中央吸収体と、該中央吸収体の両側方に対称的に設けられた一対のサイド吸収体とからなる吸収体を備え、前記中央吸収体は、Ｔ字状の上部吸収体と、該上部吸収体より大きい下部吸収体との積層体であるおむつを提案した（特許文献２参照）。
【０００５】
特許文献２に記載のおむつによれば、尿等の体液を効率的に吸収することができるが、軟便等を効率的に吸収する点で改善の余地があった。また、特許文献２に記載のおむつによれば、軟便等の排泄後には、おむつ表面が軟便の固形分により覆われてしまい、表面シートは元より吸収体においても尿（水分）を吸収することが難しく、軟便等の排泄後に尿（水分）を効率的に吸収する点で改善の余地があった。
【先行技術文献】
【特許文献】
【０００６】
【特許文献１】特表２００１−５０５８０３号公報
【特許文献２】特開２００７−２９４８２号公報
【発明の概要】
【発明が解決しようとする課題】
【０００７】
したがって、本発明の課題は、前述した従来技術が有する欠点を解消し得る使い捨ておむつを提供することにある。
【課題を解決するための手段】
【０００８】
本発明は、表面シートと、裏面シートと、これらシート間に配された複数の吸収体からなる吸収構造体とを備え、腹側部、背側部、及び股下部に区分された使い捨ておむつであって、前記吸収構造体は、第１吸収体と第２吸収体とを有し、前記第１吸収体は前記使い捨ておむつの幅方向中央部に形成され、前記第２吸収体は該使い捨ておむつの長手方向の両端部間に亘って形成されており、
前記第１吸収体の密度は前記第２吸収体の密度より高く、前記第１吸収体の厚さは前記第２吸収体の厚さより厚い使い捨ておむつを提供するものである。
【発明の効果】
【０００９】
本発明の使い捨ておむつによれば、軟便等から滲み出る水分の漏れを効率的に吸収し、軟便等に加えて尿の漏れも防止することができる。
【図面の簡単な説明】
【００１０】
【図１】図１は、本発明の第１実施形態である展開型の使い捨ておむつを伸長させて拡げた状態を一部破断して示す平面図である。
【図２】図２は、図１のＸ１−Ｘ１線断面図である。
【図３】図３は、本発明の第２実施形態である展開型の使い捨ておむつを伸長させて拡げた状態を一部破断して示す平面図（図１相当図）である。
【図４】図４は、図３のＸ２−Ｘ２線断面図（図２相当図）である。
【図５】図５は、本発明の第３実施形態である展開型の使い捨ておむつを伸長させて拡げた状態を一部破断して示す平面図（図１相当図）である。
【図６】図６は、図５のＸ３−Ｘ３線断面図（図２相当図）である。
【発明を実施するための形態】
【００１１】
以下、本発明の使い捨ておむつを、その好ましい第１実施形態に基づき、図１〜図２を参照しながら説明する。
【００１２】
第１実施形態の使い捨ておむつ１Ａ（以下、「おむつ１Ａ」ともいう。）は、液透過性の表面シート２と、液難透過性の裏面シート３と、これらシート２，３間に配された複数の吸収体からなる吸収構造体４とを備え、図１に示すように、腹側部Ａ、背側部Ｂ及び股下部Ｃに区分された本体５、背側部Ｂの両側部５ｂ，５ｂに幅方向外方に延出する一対のファスニングテープ６，６、及び腹側部Ａにファスニングテープ６と係合するターゲットシート（不図示）を有する、所謂、展開型の使い捨ておむつである。おむつ１Ａは、図１に示すように、おむつ１Ａの長手方向に延びる中心線ＣＬに対して左右対称に形成されている。尚、各図に示す「Ｙ方向」は、中心線ＣＬに平行な方向であり、おむつの長手方向と同じ方向でもある。また各図に示す「Ｘ方向」は、中心線ＣＬに直交する方向であり、おむつの幅方向と同じ方向でもある。
【００１３】
おむつ１Ａについて、詳述すると、おむつ１Ａは、図１に示すように、装着時に装着者の腹側に位置する腹側部Ａ、背側に位置する背側部Ｂ、及び腹側部Ａと背側部Ｂとの間に配置される股下部Ｃを有する本体５を備えている。本体５は、図１に示すように、Ｙ方向に長く、Ｙ方向の両側縁が、Ｙ方向の中央部において内方に括れた形状を有しており、Ｙ方向の両端部の幅が、Ｙ方向の中央部の幅よりも広くなっている。本体５は、図１に示すように、おむつ１Ａの内面をなす液透過性の表面シート２と、おむつ１Ａの外面をなす液難透過性の裏面シート３と、これらのシート２，３間に介在された液保持性の吸収構造体４とを有している。表面シート２及び裏面シート３それぞれは、図１に示すように、吸収構造体４の肌当接面側の全面及び非肌当接面側の全面を覆っており、吸収構造体４の周縁から延出している。また、表面シート２は、図１に示すように、Ｘ方向の長さが裏面シート３のＸ方向の長さよりも短くなっている。
【００１４】
おむつ１Ａの本体５には、図１に示すように、Ｙ方向の両側部５ｂ，５ｂそれぞれに、表面シート２を介してサイドシート７が配されている。サイドシート７は、図１に示すように、表面シート２の肌当接面側であって、Ｙ方向の側部全域に亘って配設固定されている。各サイドシート７のＸ方向の内方（中心線ＣＬ寄り）の端部は、図１に示すように、自由端となっており、股下部Ｃにおける自由端近傍には立体ギャザー形成用の弾性部材８１が長手方向（Ｙ方向）に伸長状態で配設固定されており、着用時には、その弾性部材の収縮力により、自由端から所定幅の部分が表面シート２から離間して立体ギャザーを形成する。本体５の背側部Ｂの端部には、ウエストギャザー形成用の弾性部材（不図示）がＸ方向に伸長状態に配設固定されており、着用時には、その弾性部材の収縮力により、ウエストギャザーが形成される。
【００１５】
おむつ１Ａの本体５の両側部５ｂ，５ｂには、図１に示すように、腹側部Ａ及び背側部Ｂそれぞれにおいて、Ｘ方向の外方に延出したサイドシート７と裏面シート３とが接合され、サイドフラップ部５１が形成されている。本体５には、図１に示すように、股下部Ｃにおいて、幅方向（Ｘ方向）外方に延出したサイドシート７と裏面シート３とが接合され、レッグフラップ部５２が形成されている。レッグフラップ部５２には、股下部Ｃにおいて、レッグギャザー形成用の弾性部材８２が長手方向（Ｙ方向）に伸長状態で配設固定されており、着用時には、その弾性部材の収縮力により、レッグギャザーが形成される。
【００１６】
おむつ１Ａの表面シート２には、表面シート２の全面に複数の開孔２１を有する開孔フィルム又は開孔不織布が用いられる。複数の開孔２１それぞれの開孔径は、０．５〜５．０μｍであることが好ましく、軟便を透過し、液戻りや固形分の戻りを抑える観点から、０．７〜２．０μｍであることが更に好ましい。
複数の開孔２１の開孔数は、４〜２００個／ｃｍ2であることが好ましく、表面材の強度と軟便透過性の観点から、５〜１００個／ｃｍ2であることが更に好ましい。
【００１７】
表面シート２の開孔フィルムとしては、例えば、特開平６−１２５９３５のように、溶融した樹脂を真空吸引により支持体上に載置し、形状に合わせて開孔を形成させて製造したフィルムを用いることができる。
表面シート２の開孔不織布としては、例えば、特開平７−１１９０１２のように、ピンロールと凸条ロールにより開孔を形成させて製造した不織布を用いることができる。
【００１８】
本発明の使い捨ておむつの備える吸収構造体４は、複数の吸収体からなり、おむつ１Ａの備える吸収構造体４は、図２に示すように、低粘性体液用の第１吸収体４１と高粘性体液用の第２吸収体４２とからなる。第１吸収体４１及び第２吸収体４２は、パルプ繊維等の繊維の集合体（不織布であっても良い）又はこれに吸水性ポリマーの粒子を保持させてなり、吸収構造体４は、第１吸収体４１及び第２吸収体４２を、透水性の薄紙や不織布からなるコアラップシート（不図示）で被覆して形成されている。
【００１９】
本発明の使い捨ておむつの備える吸収構造体４の第１吸収体４１は、図１に示すように、おむつ１Ａの幅方向（Ｘ方向）中央部に形成されている。第１吸収体４１は、おむつ１Ａにおいては、図１に示すように、おむつの股下部Ｃから腹側部Ａに向かって延在しており、第１吸収体４１の長手方向（Ｙ方向）に沿う両側部それぞれが、おむつ１Ａの幅方向（Ｘ方向）外方に向かって凸状に形成されている。具体的には、おむつ１Ａの第１吸収体４１の側部は、図１に示すように、外方に向かって突出する円弧状に形成されている。
【００２０】
おむつ１Ａの第１吸収体４１は、図２に示すように、第１吸収体４１の輪郭に一致する形状の下層吸収部４１１と、下層吸収部４１１上に配され、下層吸収部４１１よりも小さい形状の上層吸収部４１２とを有している。おむつ１Ａの第１吸収体４１を構成する上層吸収部４１２の側部は、図１に示すように、下層吸収部４１１と同様に、外方に向かって突出する円弧状に形成されている。おむつ１Ａの第１吸収体４１を構成する上層吸収部４１２は、図１に示すように、その中心Ｇ２がおむつ１Ａの中心ＣＴより前方に位置している。おむつ１Ａの第１吸収体４１を構成する下層吸収部４１１も、図１に示すように、その中心Ｇ１がおむつ１Ａの中心ＣＴより前方に位置している。おむつ１Ａにおける上層吸収部４１２の中心Ｇ２は、幅方向（Ｘ方向）においては、図１に示すように、下層吸収部４１１の幅方向中心の位置と一致しており、長手方向（Ｙ方向）においては、下層吸収部４１１の長手方向中心より腹側（おむつ１Ａの中心ＣＴ寄り）に位置している。
【００２１】
下層吸収部４１１（第１吸収体４１）は、そのＹ方向の長さＬ１が、１５０〜２５０ｍｍであり、そのＸ方向の長さＷ１が、３５〜４５ｍｍである。尚、Ｙ方向の長さとは、下層吸収部４１１の最も長い位置での長さである。Ｘ方向の長さも同様である。
上層吸収部４１２は、そのＹ方向の長さＬ２が、８０〜２３０ｍｍであり、そのＸ方向の長さＷ２が、１５〜４０ｍｍである。尚、Ｙ方向の長さとは、上層吸収部４１２の最も長い位置での長さである。Ｘ方向の長さも同様である。
下層吸収部４１１（第１吸収体４１）のＹ方向の長さＬ１に対する上層吸収部４１２のＹ方向の長さＬ２の比（Ｌ２／Ｌ１）は、０．４〜０．９５であることが好ましく、０．６〜０．８５であることが更に好ましい。
下層吸収部４１１（第１吸収体４１）のＸ方向の長さＷ１に対する上層吸収部４１２のＸ方向の長さＷ２の比（Ｗ２／Ｗ１）は、０．４〜０．９であることが好ましく、０．６〜０．８であることが更に好ましい。
【００２２】
本発明の使い捨ておむつの備える吸収構造体４の第２吸収体４２は、図１に示すように、おむつ１Ａの長手方向（Ｙ方向）の両端部間に亘って形成されている。第２吸収体４２は、おむつ１Ａの長手方向（Ｙ方向）前後端部よりやや内側に位置するように、図１に示すように、おむつ１Ａの背側部Ｂから腹側部Ａに向かって延在しており、第２吸収体４２の前後端部は、湾曲形状を有している。
おむつ１Ａの備える吸収構造体４の第１吸収体４１は、図１に示すように、第２吸収体４２によって取り囲まれている。詳述すると、第２吸収体４２は、おむつ１Ａにおいては、図１，図２に示すように、第１吸収体４１（下層吸収部４１１）の輪郭に対応する空間を有しており、該空間内に第１吸収体４１を配することにより、第１吸収体４１を第２吸収体４２で取り囲むようにして、吸収構造体４を形成している。
【００２３】
おむつ１Ａの第２吸収体４２は、図２に示すように、第２吸収体下層吸収部４２１と、第２吸収体下層吸収部４２１上に配される第２吸収体上層吸収部４２２とを有している。第２吸収体上層吸収部４２２及び第２吸収体下層吸収部４２１の形状は、第２吸収体４２の輪郭に一致している。言い換えれば、第２吸収体上層吸収部４２２と、第２吸収体下層吸収部４２１とは同形同大である。
【００２４】
第２吸収体４２（第２吸収体下層吸収部４２１，第２吸収体上層吸収部４２２）は、そのＹ方向の長さＬ３は、２５０〜３５０ｍｍであり、そのＸ方向の長さＷ３は、６５〜８５ｍｍである。尚、Ｙ方向の長さとは、第２吸収体４２の最も長い位置での長さである。Ｘ方向の長さも同様である。
第２吸収体４２（第２吸収体下層吸収部４２１，第２吸収体上層吸収部４２２）のＹ方向の長さＬ３に対する第１吸収体４１（下層吸収部４１１）のＹ方向の長さＬ１の比（Ｌ１／Ｌ３）は、０．４〜０．９５であることが好ましく、０．６〜０．８５であることが更に好ましい。
第２吸収体４２（第２吸収体下層吸収部４２１，第２吸収体上層吸収部４２２）のＸ方向の長さＷ３に対する第１吸収体４１（下層吸収部４１１）のＸ方向の長さＷ１の比（Ｗ１／Ｗ３）は、０．４〜０．７５であることが好ましく、０．５〜０．６５であることが更に好ましい。
【００２５】
本発明の使い捨ておむつの備える吸収構造体４を構成する第１吸収体４１の密度は、第２吸収体４２の密度より高い。具体的には、第１吸収体４１の密度は、０．０３〜０．０７ｇ／ｃｍ3であることが好ましく、０．０３〜０．０６ｇ／ｃｍ3であることが更に好ましい。
尚、第１吸収体４１の密度は、吸収構造体４のコアラップシート（不図示）を剥がして、第１吸収体４１を取り出して測定する。おむつ１Ａのように、第１吸収体４１が下層吸収部４１１と上層吸収部４１２とからなる場合には、下層吸収部４１１の密度と上層吸収部４１２の密度との平均値を、第１吸収体４１の密度とする。
第１吸収体４１の下層吸収部４１１の密度は、０．０３〜０．２ｇ／ｃｍ3であることが好ましく、０．０５〜０．２ｇ／ｃｍ3であることが更に好ましい。
第１吸収体４１の上層吸収部４１２の密度は、０．０１〜０．１０ｇ／ｃｍ3であることが好ましく、０．０３〜０．０８ｇ／ｃｍ3であることが更に好ましい。
【００２６】
尚、第１吸収体４１の下層吸収部４１１と上層吸収部４１２との密度は、長手方向（Ｙ方向）及び幅方向（Ｘ方向）で厚みが異なる場合が多いため、以下のようにして測定する。
第１吸収体４１の最頂部分で厚み方向に切断し、最頂部分から１０ｍｍ長手方向（Ｙ方向）にずらした位置で厚み方向に切断して、第１吸収体４１を切り出し、切り出した部位の重量と両切り口の断面積計測の平均値から体積を算出し、重量を体積で除することで第１吸収体４１の密度（ｇ／ｃｍ3）を算出する。第１吸収体４１の上層吸収部４１２及び下層吸収部４１１の各々の密度は、切り口における各々の面積を両切り口で平均して体積を求め、その後上層吸収体４１２及び下層吸収体４１１を分離して重量を測定する。切り口の面積測定には、以下の画像解析装置を使用する。
【００２７】
〔画像解析装置の使用方法〕
デジタルカメラやＣＣＤカメラを用いて、切り出した第１吸収体４１の切り口断面の画像と、（実寸法と画像との換算用に）同じ大きさ（倍率）の定規の画像とをウインドウズＰＣに取り込む。次に、取り込まれたそれらの画像を、ＮＥＸＵＳ社製の画像解析ソフトＮＥＷ  ＱＵＢＥ（ｖｅｒ．４．２０）を用いて、実寸法の計測と切り口面積の二値化を実施（二値化処理）し、二値化処理された画像から面積を計測する。
【００２８】
第２吸収体４２の密度は、０．００５〜０．０５ｇ／ｃｍ3であることが好ましく、０．０１〜０．０４ｇ／ｃｍ3であることが更に好ましい。尚、第２吸収体４２の密度も、第１吸収体４１の密度と同様に、吸収構造体４のコアラップシート（不図示）を剥がして、第２吸収体４２を取り出して測定する。おむつ１Ａのように、第２吸収体４２が第２吸収体下層吸収部４２１と第２吸収体上層吸収部４２２とからなる場合には、第２吸収体下層吸収部４２１の密度と第２吸収体上層吸収部４２２の密度との平均値を、第２吸収体４２の密度とする。
おむつ１Ａの第２吸収体上層吸収部４２２は、その密度が第２吸収体下層吸収部４２１の密度よりも低く形成されている。
第２吸収体４２の第２吸収体下層吸収部４２１の密度は、０．０５〜０．２ｇ／ｃｍ3であることが好ましく、０．０８〜０．１５ｇ／ｃｍ3であることが更に好ましい。
第２吸収体４２の第２吸収体上層吸収部４２２の密度は、０．００５〜０．０５ｇ／ｃｍ3であることが好ましく、０．０１〜０．０３ｇ／ｃｍ3であることが更に好ましい。
尚、第２吸収体４２の第２吸収体下層吸収部４２１と第２吸収体上層吸収部４２２との密度は、前述と同様に測定した。
【００２９】
本発明の使い捨ておむつの備える吸収構造体４を構成する第１吸収体４１の厚さは、第２吸収体４２の厚さより厚い。具体的には、第１吸収体４１の厚さは、５〜９ｍｍであることが好ましく、６〜８ｍｍであることが更に好ましい。また、第２吸収体４２の厚さは、０．５〜５ｍｍであることが好ましく、１〜３ｍｍであることが更に好ましい。尚、第１吸収体４１の厚さは、吸収構造体４のコアラップシート（不図示）を剥がして、第１吸収体４１を取り出し、０．０５ｇの荷重下で測定する。第２吸収体４２の厚さも同様にして測定する。
【００３０】
上述したように、おむつ１Ａは、図２に示すように、第１吸収体４１が下層吸収部４１１と上層吸収部４１２とからなっており、おむつ１Ａの下層吸収部４１１の厚さは、第２吸収体４２の厚さより厚く形成されている。
第１吸収体４１の下層吸収部４１１の厚さは、３〜７ｍｍであることが好ましく、４〜６ｍｍであることが更に好ましい。
第２吸収体４２の下層吸収部４２１の厚さは、０．４〜２．０ｍｍであることが好ましく、０．４〜１．０ｍｍであることが更に好ましい。
【００３１】
本実施形態のおむつ１Ａの形成材料について説明する。
裏面シート３としては、それぞれ、通常、使い捨ておむつ等の吸収性物品に用いられるものであれば、特に制限なく用いることができ、液不透過性又は撥水性の樹脂フィルム、該樹脂フィルムと不織布の積層体等を用いることができる。立体ギャザーやレッグギャザーを形成するサイドシート７としては、それぞれ、通常、使い捨ておむつ等の吸収性物品に用いられるものであれば、特に制限なく用いることができ、伸縮性のフィルム、不織布、織物またはそれらの積層シート等を用いることができる。立体ギャザー形成用の弾性部材８１、レッグギャザー形成用の弾性部材８２、ウエストギャザー形成用の弾性部材（不図示）としては、天然ゴム、ポリウレタン、ポリスチレン−ポリイソプレン共重合体、ポリスチレン−ポリブタジエン共重合体、アクリル酸エチル−エチレン等のポリエチレン−αオレフィン共重合体等からなる糸状の伸縮性材料を用いることができる。
【００３２】
ファスニングテープ６の係合突起及びターゲットシート（不図示）は、通常、使い捨ておむつ等の吸収性物品に用いられるものであれば、特に制限なく用いることができる。例えば、係合突起としては、「マジックテープ（登録商標）」（クラレ社製）、「クイックロン（登録商標）」（ＹＫＫ社製）、「マジクロス（登録商標）」（カネボウベルタッチ社製）等におけるオス部材等を用いることができる。ターゲットシート（不図示）としては、係合突起を押しつけることにより、係合突起を止着可能なものを特に制限なく用いることができる。例えば、例えば上述した各種公知の機械的面ファスナーにおけるメス部材や係合性に富む不織布を用いることができる。
【００３３】
表面シート２、裏面シート３、サイドシート７、ファスニングテープ６及びターゲットシート（不図示）の固定には、通常、使い捨ておむつ等の吸収性物品に用いられる接着剤やヒートエンボス、超音波エンボス、高周波エンボス等の融着手段が用いられる。
【００３４】
次に上述した本発明の第１実施形態の使い捨ておむつ１Ａを使用した際の作用効果について説明する。
おむつ１Ａは、図１，図２に示すように、低粘性体液用の第１吸収体４１と高粘性体液用の第２吸収体４２とからなる吸収構造体４を備えており、第１吸収体４１は幅方向（Ｘ方向）中央部に形成され、第２吸収体４２は長手方向（Ｙ方向）の両端部間に亘って形成されており、第１吸収体４１の密度は第２吸収体４２の密度より高く、第１吸収体４１の厚さは第２吸収体４２の厚さより厚く形成されている。その為、おむつ１Ａの着用者が、着用中に、軟便等をすると、幅方向（Ｘ方向）中央部に形成された第１吸収体４１の厚さが、第２吸収体４２の厚さより厚いので、軟便等が第１吸収体４１の頂部から第２吸収体４２へ流れ落ち易い。また、第２吸収体４２へ流れ落ちた軟便等から滲み出る水分は、第１吸収体４１の密度が第２吸収体４２の密度より高いので、この密度勾配によって、第２吸収体４２から第１吸収体４１へ移行し易い。このように、軟便等の固形部を第１吸収体４１より厚さの薄い第２吸収体４２の上面で保持し、軟便等から滲み出る水分を第１吸収体４１で保持し、吸収構造体４全体を使って効率的に軟便等を吸収できるので、軟便等の漏れを防止することができる。
【００３５】
また、おむつ１Ａは、図１，図２に示すように、排泄された軟便等が第１吸収体４１の頂部から第２吸収体４２へ流れ落ち、第１吸収体４１の頂部に位置するおむつ表面が軟便の固形分により覆われ難いので、軟便等の排泄後にも尿（水分）を効率的に吸収することができる。
【００３６】
また、おむつ１Ａは、図１，図２に示すように、吸収構造体４を構成する第１吸収体４１が、おむつ１Ａの股下部Ｃから腹側部Ａに向かって延在しており、第１吸収体４１の密度より低く、第１吸収体４１の厚さよりも薄い第２吸収体４２によって取り囲まれている。その為、おむつ１Ａの着用時に、おむつ１Ａの長手方向（Ｙ方向）の両端部間に亘って配された第２吸収体４２が着用者の体型に合わせて変形し易く、軟便等を更に効率的に吸収できる。特に、おむつ１Ａは、図１，図２に示すように、吸収構造体４を構成する第１吸収体４１が、幅方向（Ｘ方向）外方に向かって凸状に形成されているので、第１吸収体４１と第２吸収体４２との境界に沿って、第２吸収体４２が着用者の体型に合わせて変形し易く、軟便等を更に効率的に吸収できる。他、凸状下層部に尿も含めて水分を移動、保持できるため、側部モレを防止しやすい。
【００３７】
また、おむつ１Ａは、図１，図２に示すように、吸収構造体４を構成する第１吸収体４１が、下層吸収部４１１と下層吸収部４１１よりも小さい形状の上層吸収部４１２とを有し、上層吸収部４１２は、その中心Ｇ２がおむつ１Ａの中心ＣＴより前方に位置している。その為、おむつ１Ａの着用者が、着用中に、軟便などをすると、軟便などが第１吸収体４１の上層吸収部４１２の頂部から第２吸収体４２へ更に流れ落ち易い。特に、おむつ１Ａは、図１，図２に示すように、吸収構造体４を構成する第２吸収体４２が、第２吸収体４２の輪郭に一致する第２吸収体下層吸収部４２１と第２吸収体上層吸収部４２２とを有し、第２吸収体上層吸収部４２２の密度が第２吸収体下層吸収部４２１の密度よりも低く形成されている。その為、この密度勾配により、第２吸収体４２へ流れ落ちた軟便などから滲み出る水分が、第２吸収体上層吸収部４２２から第２吸収体下層吸収部４２１へ移行し易く、第２吸収体下層吸収部４２１へ移行した前記水分が、第２吸収体下層吸収部４２１よりも密度の高い第１吸収体４１へ移行し易い。また、それだけでなく、第２吸収体下層部４２１の厚みが小さく、液容量が小さいことも液の移行を促すことができる。これらの作用により、第２吸収体が常に有効利用されることになる。すなわち、吸収構造体４全体を使って更に効率的に軟便などを吸収できるので、軟便などの漏れを更に防止することができる。
【００３８】
次に、本発明の第２実施形態の使い捨ておむつについて、図３，図４に基づいて説明する。
第２実施形態の使い捨ておむつ１Ｂ（以下、「おむつ１Ｂ」ともいう）については、第１実施形態の使い捨ておむつ１Ａと異なる点について説明する。特に説明しない点は、おむつ１Ａと同様であり、おむつ１Ａの説明が適宜適用される。
【００３９】
第２実施形態のおむつ１Ｂは、図３，図４に示すように、低粘性体液用の第１吸収体４１と、高粘性体液用の第２吸収体４２と、第３吸収体４３とからなる吸収構造体４を備えている。第１吸収体４１、第２吸収体４２及び第３吸収体４３は、パルプ繊維等の繊維の集合体（不織布であっても良い）又はこれに吸水性ポリマーの粒子を保持させてなり、吸収構造体４は、第１吸収体４１、第２吸収体４２及び第３吸収体４３を、透水性の薄紙や不織布からなるコアラップシート（不図示）で被覆して形成されている。
【００４０】
おむつ１Ｂの備える吸収構造体４の第１吸収体４１は、図４に示すように、第２吸収体４２上に形成されている。
【００４１】
本発明の使い捨ておむつの備える吸収構造体４の第２吸収体４２は、図３に示すように、おむつ１Ａの長手方向（Ｙ方向）の両端部間に亘って形成されており、おむつ１Ｂにおいては、図３，図４に示すように、おむつ１Ｂの長手方向（Ｙ方向）前後端部よりやや内側に位置するように、おむつ１Ｂの背側部Ｂから腹側部Ａに向かって連続して延在しており、第２吸収体４２の前後端部は、湾曲形状を有している。
【００４２】
おむつ１Ｂの第２吸収体４２は、図３に示すように、着用者の肌側に向かって盛り上がる凸構造部４２０を有している。凸構造部４２０は、図３に示すように、第１吸収体４１よりも後方に形成されている。凸構造部４２０は、図３に示すように、第１吸収体４１よりも後方の第１吸収体４１と離間した位置であって、一対の後述する第３吸収体４３，４３の間の位置に、Ｘ方向に長く形成されている。おむつ１Ｂの凸構造部４２０は、図３に示すように、第１吸収体４１に向かって開口した形状に形成されている。おむつ１Ｂの第２吸収体４２の凸構造部４２０は、その頂部での厚さが、後述する第３吸収体４３の厚さよりも低く形成されている。
【００４３】
おむつ１Ｂの備える吸収構造体４の第３吸収体４３は、図３に示すように、おむつ１Ｂの長手方向（Ｙ方向）の両側部５ｂ，５ｂに沿って形成されている。第３吸収体４３は、おむつ１Ｂにおいては、図３に示すように、第２吸収体４２の両側縁に沿って形成されており、図４に示すように、第２吸収体４２上に形成されている。第３吸収体４３は、おむつ１Ｂにおいては、図３に示すように、そのＹ方向の長さＬ４が、第２吸収体４２のＹ方向の長さＬ３よりも短く、おむつの腹側部Ａから背側部Ｂに向かって長方形状に延在して形成されている。
【００４４】
おむつ１Ｂの第３吸収体４３は、そのＹ方向の長さＬ４が、５０〜２００ｍｍであり、そのＸ方向の長さＷ４が、７〜２０ｍｍである。尚、Ｙ方向の長さとは、第３吸収体４３の最も長い位置での長さである。Ｘ方向の長さも同様である。
おむつ１Ｂにおいては、第２吸収体４２（第２吸収体下層吸収部４２１，第２吸収体上層吸収部４２２）は、中央から均等に形成されるが、そのＹ方向の長さＬ３が１００mmを超える場合には、後方部に長手方向の中央が位置するようにすることが好ましい。おむつ１Ｂにおいては、第１吸収体４１（下層吸収部４１１，上層吸収部４１２）と第３吸収体４３の隙間は、フィット性の観点から、１０〜２０ｍｍ空いていることが好ましく、７〜１５ｍｍであることが更に好ましい。
【００４５】
おむつ１Ｂの備える吸収構造体４を構成する第３吸収体４３の密度は、第２吸収体４２の密度より高い。尚、おむつ１Ｂの第３吸収体４３の密度と、おむつ１Ｂの第１吸収体４１の密度は略同じである。具体的には、第３吸収体４３の密度は、０．００８〜０．１ｇ／ｃｍ3であることが好ましく、０．０１〜０．０７ｇ／ｃｍ3であることが更に好ましい。尚、第３吸収体４３の密度は、第１吸収体４１の密度と同様に、吸収構造体４のコアラップシート（不図示）を剥がして、第３吸収体４３を取り出して測定する。
【００４６】
おむつ１Ｂの備える吸収構造体４を構成する第３吸収体４３の厚さは、第１吸収体４１の厚さより薄く、且つ第２吸収体４２の厚さより厚い。具体的には、第３吸収体４３の厚さは、１〜５ｍｍであることが好ましく、２〜３ｍｍであることが更に好ましい。尚、第３吸収体４３の厚さは、第１吸収体４１の厚さと同様に、吸収構造体４のコアラップシート（不図示）を剥がして、第３吸収体４３を取り出し、０．０５ｇの荷重下で測定する。第２吸収体４２の厚さも同様にして測定する。
【００４７】
おむつ１Ｂの表面シート２は、図３に示すように、第１吸収体４１及び第３吸収体４３上に対応する領域に開孔２１を有さず、第１吸収体４１及び第３吸収体４３上に対応する領域以外の領域に複数の開孔２１を有する開孔フィルム又は開孔不織布が用いられる。このような第１吸収体４１及び第３吸収体４３上に対応する領域以外の領域に複数の開孔２１を有する表面シート２を用いることにより、開孔領域以外では軟便を通さず流れやすくすることで、より効率的に軟便を開孔部に導くことができる。
おむつ１Ｂの表面シート２は、例えば、特開平１０−１３１０１４に記された、製造装置を用いて、表面シートに開孔を間欠的に形成し製造することができる。
【００４８】
第２実施形態の使い捨ておむつ１Ｂの形成材料について説明する。第２実施形態の使い捨ておむつ１Ｂについては、第１実施形態の使い捨ておむつ１Ａの形成材料と同様である。
【００４９】
上述した本発明の第２実施形態の使い捨ておむつ１Ｂを使用した際の作用効果について説明する。
第２実施形態の使い捨ておむつ１Ｂの効果については、第１実施形態の使い捨ておむつ１Ａの効果と異なる点について説明する。特に説明しない点は、第１実施形態の使い捨ておむつ１Ａの効果と同様であり、第１実施形態の使い捨ておむつ１Ａの効果の説明が適宜適用される。
【００５０】
おむつ１Ｂは、図３に示すように、吸収構造体４を構成する第２吸収体４２が、第１吸収体４１よりも後方に離間した位置に、着用者の肌側に向かって盛り上がる凸構造部４２０を有している。その為、軟便などのＹ方向への移動を抑えることができる。
【００５１】
おむつ１Ｂは、図４に示すように、吸収構造体４を構成する第３吸収体４１が、おむつ１Ｂの長手方向（Ｙ方向）の両側部５ｂ，５ｂに沿って、即ち、第２吸収体４２の側縁に沿って配されており、第３吸収体４３は、その厚さが第１吸収体４１の厚さより薄く且つ第２吸収体４２の厚さより厚いので、第１吸収体４１の頂部から第２吸収体４２へ流れ落ちた軟便などのＸ方向への流れを堰き止めることができる。また、おむつ１Ｂの第３吸収体４３は、その密度が第２吸収体４２の密度より高いので、おむつ１Ｂの幅方向（Ｘ方向）から漏れる所謂横漏れを防止することができる。
【００５２】
おむつ１Ｂは、図４に示すように、第２吸収体４２がＷ３の幅を持って広く下層に存在しているため、固形分から滲み出た水分をより多く保持することが出来る。
【００５３】
次に、本発明の第３実施形態の使い捨ておむつについて、図５，図６に基づいて説明する。
第３実施形態の使い捨ておむつ１Ｃ（以下、「おむつ１Ｃ」ともいう）については、第１実施形態の使い捨ておむつ１Ａと異なる点について説明する。特に説明しない点は、おむつ１Ａと同様であり、おむつ１Ａの説明が適宜適用される。
【００５４】
第３実施形態のおむつ１Ｃは、図５，図６に示すように、低粘性体液用の第１吸収体４１と、高粘性体液用の第２吸収体４２と、第３吸収体４３とからなる吸収構造体４を備えている。第１吸収体４１、第２吸収体４２及び第３吸収体４３は、パルプ繊維等の繊維の集合体（不織布であっても良い）又はこれに吸水性ポリマーの粒子を保持させてなり、吸収構造体４は、第１吸収体４１、第２吸収体４２及び第３吸収体４３を、透水性の薄紙や不織布からなるコアラップシート（不図示）で被覆して形成されている。
【００５５】
おむつ１Ｃの備える吸収構造体４の第１吸収体４１は、図６に示すように、おむつ１Ａと同様に、第２吸収体４２で取り囲まれている。
【００５６】
本発明の使い捨ておむつの備える吸収構造体４の第２吸収体４２は、図５に示すように、おむつ１Ｃの長手方向（Ｙ方向）の両端部間に亘って形成されている。おむつ１Ｃの第２吸収体４２は、おむつ１Ａと同様に、図５，図６に示すように、第１吸収体４１（下層吸収部４１１）の輪郭に対応する空間を有しており、該空間内に第１吸収体４１を配することにより、第１吸収体４１を第２吸収体４２で取り囲んでいる。
【００５７】
おむつ１Ｃの備える吸収構造体４の第３吸収体４３は、図５に示すように、おむつ１Ｃの長手方向（Ｙ方向）の両側部５ｂ，５ｂに沿って形成されている。第３吸収体４３は、おむつ１Ｃにおいては、図５に示すように、第２吸収体４２の両側縁に沿って形成されており、図６に示すように、第２吸収体４２のＸ方向外方に形成されている。第３吸収体４３は、おむつ１Ｃにおいては、図５に示すように、そのＹ方向の長さＬ４が、第２吸収体４２のＹ方向の長さＬ３よりも短く、おむつの腹側部Ａから背側部Ｂに向かって長方形状に延在して形成されている。
【００５８】
おむつ１Ｃの第３吸収体４３は、そのＹ方向の長さＬ４が、６０〜１９０ｍｍであり、そのＸ方向の長さＷ４が、７〜２０ｍｍである。尚、Ｙ方向の長さとは、第３吸収体４３の最も長い位置での長さである。Ｘ方向の長さも同様である。
おむつ１Ｃにおいては、第２吸収体４２（第２吸収体下層吸収部４２１，第２吸収体上層吸収部４２２）は、中央から均等に形成されるが、そのＹ方向の長さＬ３が１００ｍｍを超える場合には、後方部に長手方向の中央が位置するようにすることが好ましい。おむつ１Ｃにおいては、第１吸収体４１（第２吸収体下層吸収部４１１，第２吸収体上層吸収部４１２）と第３吸収体４３の隙間は、フィット性の観点から、１０〜２０ｍｍ空いていることが好ましく、７〜１５ｍｍであることが更に好ましい。
おむつ１Ｃにおいては、第１吸収体４１（下層吸収部４１１，上層吸収部４１２）と第３吸収体４３の隙間は、フィット性の観点から、１０〜２０ｍｍ空いていることが好ましく、７〜１５ｍｍであることが更に好ましい。
【００５９】
おむつ１Ｃの備える吸収構造体４を構成する第３吸収体４３の密度は、第２吸収体４２の密度より高より高い。尚、おむつ１Ｃの第３吸収体４３の密度と、おむつ１Ｃの第１吸収体４１の密度は略同じである。具体的には、第３吸収体４３の密度は、０．００８〜０．１ｇ／ｃｍ3であることが好ましく、０．０１〜０．０７ｇ／ｃｍ3であることが更に好ましい。尚、第３吸収体４３の密度は、第１吸収体４１の密度と同様に、吸収構造体４のコアラップシート（不図示）を剥がして、第３吸収体４３を取り出して測定する。
【００６０】
おむつ１Ｃの備える吸収構造体４を構成する第３吸収体４３の厚さは、第１吸収体４１の厚さより薄く、且つ第２吸収体４２の厚さより厚い。具体的には、第３吸収体４３の厚さは、３〜８ｍｍであることが好ましく、４〜６ｍｍであることが更に好ましい。尚、第３吸収体４３の厚さは、第１吸収体４１の厚さと同様に、吸収構造体４のコアラップシート（不図示）を剥がして、第３吸収体４３を取り出し、０．０５ｇの荷重下で測定する。第２吸収体４２の厚さも同様にして測定する。
【００６１】
おむつ１Ｃの表面シート２は、図５に示すように、第１吸収体４１及び第３吸収体４３が位置する部分であって、該部分の表面シート２の長手方向（Ｙ方向）前後端に亘る領域に開孔２１を有さず、それら以外の領域に複数の開孔２１を有する開孔フィルム又は開孔不織布が用いられる。このような第１吸収体４１及び第３吸収体４３が位置する部分の表面シート２の長手方向（Ｙ方向）前後端に亘る領域以外の領域に複数の開孔２１を有する表面シート２を用いることにより、開孔領域以外では軟便を通さず流れやすくすることで、より効率的に軟便を開孔部に導くことができる。
おむつ１Ｃの表面シート２は、例えば、特開平１０−１３１０１４に記された製造装置を用いて、実施形態２とパターンを異なる形状に、表面シートへ開孔を間欠的に形成し、製造することができる。
【００６２】
第３実施形態の使い捨ておむつ１Ｃの形成材料について説明する。第３実施形態の使い捨ておむつ１Ｃについては、第１実施形態の使い捨ておむつ１Ａの形成材料と同様である。
【００６３】
上述した本発明の第３実施形態の使い捨ておむつ１Ｃを使用した際の作用効果について説明する。
第３実施形態の使い捨ておむつ１Ｃの効果については、第１実施形態の使い捨ておむつ１Ａの効果と異なる点について説明する。特に説明しない点は、第１実施形態の使い捨ておむつ１Ａの効果と同様であり、第１実施形態の使い捨ておむつ１Ａの効果の説明が適宜適用される。
【００６４】
おむつ１Ｃは、図６に示すように、吸収構造体４を構成する第３吸収体４３が、おむつ１Ｃの長手方向（Ｙ方向）の両側部５ｂ，５ｂに沿って、即ち、第２吸収体４２の側縁に沿って配されており、第３吸収体４３は、その厚さが第１吸収体４１の厚さより薄く且つ第２吸収体４２の厚さより厚いので、第１吸収体４１の頂部から第２吸収体４２へ流れ落ちた軟便、水様便、下痢便のＸ方向への流れを堰き止めることができる。また、おむつ１Ｃの第３吸収体４３は、その密度が第２吸収体４２の密度より高いので、おむつ１Ｃの幅方向（Ｘ方向）から漏れる所謂横漏れを防止することができる。
【００６５】
おむつ１Ｃは、図６に示すように、第１吸収体４１に液を導くのと同様に、第３吸収体４３にも液を導くことが出来る。
【００６６】
本発明の使い捨ておむつは、上述の第１，第２，第３実施形態の使い捨ておむつ１Ａ，１Ｂ，１Ｃに何ら制限されるものではなく、適宜変更可能である。また、上述の第１，第２，第３実施形態の使い捨ておむつ１Ａ，１Ｂ，１Ｃにおける各構成要件は、本発明の趣旨を損なわない範囲で、適宜組み合わせて実施できる。
【００６７】
例えば、上述の第１，第２，第３実施形態の使い捨ておむつ１Ａ，１Ｂ，１Ｃにおいては、第１吸収体４１は、下層吸収部４１１及び上層吸収部４１２の２層から形成されているが、１層から形成されていてもよい。同様に、上述の第１，第２，第３実施形態の使い捨ておむつ１Ａ，１Ｂ，１Ｃにおいては、第２吸収体４２は、第２吸収体下層吸収部４２１及び第２吸収体上層吸収部４２２の２層から形成されているが、１層から形成されていてもよい。
【００６８】
本発明の使い捨ておむつは、展開型の使い捨ておむつ以外にも、例えば、パンツ型使い捨ておむつ等に好適に用いることができる。
また、使い捨ておむつは、幼児又は成人用の使い捨ておむつであってもよい。
【符号の説明】
【００６９】
１Ａ，１Ｂ，１Ｃ  展開型の使い捨ておむつ
２  表面シート
２１  開孔
３  裏面シート
４  吸収構造体
４１  第１吸収体
４１１  下層吸収部
４１２  上層吸収部
４２  第２吸収体
４２１  第２吸収体下層吸収部
４２２  第２吸収体上層吸収部
４３  第３吸収体
５  本体
５ｂ  本体の長手方向（Ｙ方向）の側部
５１  サイドフラップ部
５２  レッグフラップ部
６  ファスニングテープ
７  サイドシート
８１  立体ギャザー形成用の弾性部材
８２  レッグギャザー形成用の弾性部材
【図１】
0005650994.tif 000002
【図２】
0005650994.tif 000003
【図３】
0005650994.tif 000004
【図４】
0005650994.tif 000005
【図５】
0005650994.tif 000006
【図６】
0005650994.tif 000007